【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
光源の使用積算時間を演算する第一演算手段と、
前記第一演算手段によって演算された使用積算時間を保持する保持手段と、
前記光源の消灯後に該光源を所定時間クールダウンするクールダウン手段と、
前記光源に対するクールダウンを行わなかった場合又は該クールダウンを途中で終了した場合に該光源に与えられるストレスを該光源の使用時間に置き換えたクールダウンストレス時間換算値を演算する第三演算手段と、
前記第三演算手段によって演算されたクールダウンストレス時間換算値を前記使用積算時間に加算してその加算値で前記保持手段で保持されている使用積算時間を更新する更新手段と、
前記保持手段で保持されている使用積算時間と所定の基準値とを比較して該使用積算時間が該基準値を超えているときに前記光源の交換時期到来を判定する判定手段と
を備えたことを特徴とする光源寿命判定装置。
【請求項２】
光源の使用積算時間を演算する第一演算手段と、
前記第一演算手段によって演算された使用積算時間を保持する保持手段と、
前記光源の消灯後に該光源を所定時間クールダウンするクールダウン手段と、
前記光源を１回点灯する度に該光源に与えられるストレスを該光源の使用時間に置き換えた点灯ストレス時間換算値を演算する第二演算手段と、
前記光源に対するクールダウンを行わなかった場合又は該クールダウンを途中で終了した場合に該光源に与えられるストレスを該光源の使用時間に置き換えたクールダウンストレス時間換算値を演算する第三演算手段と、
前記第二演算手段によって演算された点灯ストレス時間換算値及び前記第三演算手段によって演算されたクールダウンストレス時間換算値を前記使用積算時間に加算してその加算値で前記保持手段で保持されている使用積算時間を更新する更新手段と、
前記保持手段で保持されている使用積算時間と所定の基準値とを比較して該使用積算時間が該基準値を超えているときに前記光源の交換時期到来を判定する判定手段と
を備えたことを特徴とする光源寿命判定装置。
【請求項３】
光源の使用積算時間を演算する第一演算工程と、
前記第一演算工程によって演算された使用積算時間を保持する保持工程と、
前記光源の消灯後に該光源を所定時間クールダウンするクールダウン工程と、
前記光源に対するクールダウンを行わなかった場合又は該クールダウンを途中で終了した場合に該光源に与えられるストレスを該光源の使用時間に置き換えたクールダウンストレス時間換算値を演算する第二演算工程と、
前記第二演算工程によって演算されたクールダウンストレス時間換算値を前記使用積算時間に加算してその加算値で前記保持工程で保持されている使用積算時間を更新する更新工程と、
前記保持工程で保持されている使用積算時間と所定の基準値とを比較して該使用積算時間が該基準値を超えているときに前記光源の交換時期到来を判定する判定工程と
を含むことを特徴とする光源寿命判定方法。
【請求項４】
光源の使用積算時間を演算する第一演算工程と、
前記第一演算工程によって演算された使用積算時間を保持する保持工程と、
前記光源の消灯後に該光源を所定時間クールダウンするクールダウン工程と、
前記光源を１回点灯する度に該光源に与えられるストレスを該光源の使用時間に置き換えた点灯ストレス時間換算値を演算する第二演算工程と、
前記光源に対するクールダウンを行わなかった場合又は該クールダウンを途中で終了した場合に該光源に与えられるストレスを該光源の使用時間に置き換えたクールダウンストレス時間換算値を演算する第三演算工程と、
前記第二演算工程によって演算された点灯ストレス時間換算値及び前記第三演算工程によって演算されたクールダウンストレス時間換算値を前記使用積算時間に加算してその加算値で前記保持工程で保持されている使用積算時間を更新する更新工程と、
前記保持工程で保持されている使用積算時間と所定の基準値とを比較して該使用積算時間が該基準値を超えているときに前記光源の交換時期到来を判定する判定工程と
を含むことを特徴とする光源寿命判定方法。
【手続補正２】
【補正対象書類名】明細書
【補正対象項目名】００１０
【補正方法】変更
【補正の内容】
【００１０】
請求項１記載の発明は、光源の使用積算時間を演算する第一演算手段と、前記第一演算手段によって演算された使用積算時間を保持する保持手段と、前記光源の消灯後に該光源を所定時間クールダウンするクールダウン手段と、前記光源に対するクールダウンを行わなかった場合又は該クールダウンを途中で終了した場合に該光源に与えられるストレスを該光源の使用時間に置き換えたクールダウンストレス時間換算値を演算する第三演算手段と、前記第三演算手段によって演算されたクールダウンストレス時間換算値を前記使用積算時間に加算してその加算値で前記保持手段で保持されている使用積算時間を更新する更新手段と、前記保持手段で保持されている使用積算時間と所定の基準値とを比較して該使用積算時間が該基準値を超えているときに前記光源の交換時期到来を判定する判定手段とを備えたことを特徴とする光源寿命判定装置である。
請求項２記載の発明は、光源の使用積算時間を演算する第一演算手段と、前記第一演算手段によって演算された使用積算時間を保持する保持手段と、前記光源の消灯後に該光源を所定時間クールダウンするクールダウン手段と、前記光源を１回点灯する度に該光源に与えられるストレスを該光源の使用時間に置き換えた点灯ストレス時間換算値を演算する第二演算手段と、前記光源に対するクールダウンを行わなかった場合又は該クールダウンを途中で終了した場合に該光源に与えられるストレスを該光源の使用時間に置き換えたクールダウンストレス時間換算値を演算する第三演算手段と、前記第二演算手段によって演算された点灯ストレス時間換算値及び前記第三演算手段によって演算されたクールダウンストレス時間換算値を前記使用積算時間に加算してその加算値で前記保持手段で保持されている使用積算時間を更新する更新手段と、前記保持手段で保持されている使用積算時間と所定の基準値とを比較して該使用積算時間が該基準値を超えているときに前記光源の交換時期到来を判定する判定手段とを備えたことを特徴とする光源寿命判定装置である。
請求項３記載の発明は、光源の使用積算時間を演算する第一演算工程と、前記第一演算工程によって演算された使用積算時間を保持する保持工程と、前記光源の消灯後に該光源を所定時間クールダウンするクールダウン工程と、前記光源に対するクールダウンを行わなかった場合又は該クールダウンを途中で終了した場合に該光源に与えられるストレスを該光源の使用時間に置き換えたクールダウンストレス時間換算値を演算する第三演算工程と、前記第三演算工程によって演算されたクールダウンストレス時間換算値を前記使用積算時間に加算してその加算値で前記保持工程で保持されている使用積算時間を更新する更新工程と、前記保持工程で保持されている使用積算時間と所定の基準値とを比較して該使用積算時間が該基準値を超えているときに前記光源の交換時期到来を判定する判定工程とを含むことを特徴とする光源寿命判定方法である。
請求項４記載の発明は、光源の使用積算時間を演算する第一演算工程と、前記第一演算工程によって演算された使用積算時間を保持する保持工程と、前記光源の消灯後に該光源を所定時間クールダウンするクールダウン工程と、前記光源を１回点灯する度に該光源に与えられるストレスを該光源の使用時間に置き換えた点灯ストレス時間換算値を演算する第二演算工程と、前記光源に対するクールダウンを行わなかった場合又は該クールダウンを途中で終了した場合に該光源に与えられるストレスを該光源の使用時間に置き換えたクールダウンストレス時間換算値を演算する第三演算工程と、前記第二演算工程によって演算された点灯ストレス時間換算値及び前記第三演算工程によって演算されたクールダウンストレス時間換算値を前記使用積算時間に加算してその加算値で前記保持工程で保持されている使用積算時間を更新する更新工程と、前記保持工程で保持されている使用積算時間と所定の基準値とを比較して該使用積算時間が該基準値を超えているときに前記光源の交換時期到来を判定する判定工程とを含むことを特徴とする光源寿命判定方法である。